(57)【特許請求の範囲】
【請求項１】
配送物の配送通知を受けた利用者から、追加購入可能な追加商品が掲載された追加商品リストの配信要求を受け付ける受付部と、
前記利用者の状態に基づいて、追加商品を提供する優先度を示す追加商品スコアを算出する算出部と、
前記追加商品スコアに基づく順序で、前記追加商品に関する情報が掲載された追加商品リストを提供する提供部と、
前記追加商品リストの提供を受けた前記利用者から前記追加商品の注文を受け付ける受付部と、
配送予定日に前記配送物とともに前記追加商品を前記利用者に届けるように手配する配送処理部と、
を備えることを特徴とする情報処理装置。
【請求項２】
前記算出部は、前記利用者の属性に基づいて、前記追加商品スコアを算出する
ことを特徴とする請求項１に記載の情報処理装置。
【請求項３】
前記算出部は、前記利用者の履歴情報に基づいて、前記追加商品スコアを算出する
ことを特徴とする請求項１又は２に記載の情報処理装置。
【請求項４】
前記算出部は、前記利用者の位置履歴に基づいて、前記追加商品スコアを算出する
ことを特徴とする請求項３に記載の情報処理装置。
【請求項５】
前記算出部は、前記利用者の購買履歴に基づいて、前記追加商品スコアを算出する
ことを特徴とする請求項３又は４に記載の情報処理装置。
【請求項６】
前記算出部は、前記利用者が過去に購入した追加商品に基づいて、前記追加商品スコアを算出する
ことを特徴とする請求項５に記載の情報処理装置。
【請求項７】
前記算出部は、前記配送物と前記追加商品との関係に基づいて、前記追加商品スコアを算出する
ことを特徴とする請求項１〜６のうちいずれか１つに記載の情報処理装置。
【請求項８】
前記算出部は、前記追加商品のクリック率又はコンバージョン率に基づいて、前記追加商品スコアを算出する
ことを特徴とする請求項１〜７のうちいずれか１つに記載の情報処理装置。
【請求項９】
前記算出部は、前記利用者により購入された前記追加商品の数量の統計値に基づいて、前記追加商品に付与される前記追加商品スコアを算出する
ことを特徴とする請求項１〜８のうちいずれか１つに記載の情報処理装置。
【請求項１０】
前記配送処理部は、配送予定日に前記配送物とともに、前記追加商品リストに掲載されている商品が収容された商品ボックスを前記利用者に届けるように手配し、
前記商品ボックスには、収容された商品群の中から前記利用者が任意の種別及び数の商品をその場で選択して購入できるように前記追加商品の候補が収容されていることを特徴とする請求項１〜９のうちいずれか１つに記載の情報処理装置。
【請求項１１】
情報処理装置が実行する情報処理方法であって、
配送物の配送通知を受けた利用者から、追加購入可能な追加商品が掲載された追加商品リストの配信要求を受け付ける受付工程と、
前記利用者の状態に基づいて、追加商品を提供する優先度を示す追加商品スコアを算出する算出工程と、
前記追加商品スコアに基づく順序で、前記追加商品に関する情報が掲載された追加商品リストを提供する提供工程と、
前記追加商品リストの提供を受けた前記利用者から前記追加商品の注文を受け付ける受付工程と、
配送予定日に前記配送物とともに前記追加商品を前記利用者に届けるように手配する配送処理工程と、
を含むことを特徴とする情報処理方法。
【請求項１２】
配送物の配送通知を受けた利用者から、追加購入可能な追加商品が掲載された追加商品リストの配信要求を受け付ける受付手順と、
前記利用者の状態に基づいて、追加商品を提供する優先度を示す追加商品スコアを算出する算出手順と、
前記追加商品スコアに基づく順序で、前記追加商品に関する情報が掲載された追加商品リストを提供する提供手順と、
前記追加商品リストの提供を受けた前記利用者から前記追加商品の注文を受け付ける受付手順と、
配送予定日に前記配送物とともに前記追加商品を前記利用者に届けるように手配する配送処理手順と、
をコンピュータに実行させるための情報処理プログラム。
【発明の詳細な説明】
【技術分野】
【０００１】
本発明は、情報処理装置、情報処理方法及び情報処理プログラムに関する。
【背景技術】
【０００２】
従来、日常生活用品を自宅で即時に購入できる技術が開示されている。
【先行技術文献】
【特許文献】
【０００３】
【特許文献１】特開２００２−２４７０８号公報
【発明の概要】
【発明が解決しようとする課題】
【０００４】
しかしながら、上記の従来技術は、利用者が日常生活用品を注文すると、常時担当ブロック内を走行している配送車により即時に自宅へ届けられ、品物を購入できるというものに過ぎない。当該従来技術も有用ではあるが、利用者の利便性をさらに向上させる余地がある。
【０００５】
本願は、上記に鑑みてなされたものであって、配送物の配送通知時に、追加購入可能であり配送予定日に配送物とともに届けられる追加商品に関する情報を適切に提供することを目的とする。
【課題を解決するための手段】
【０００６】
本願に係る情報処理装置は、配送物の配送通知を受けた利用者から、追加購入可能な追加商品が掲載された追加商品リストの配信要求を受け付ける受付部と、前記利用者の状態に基づいて、追加商品を提供する優先度を示す追加商品スコアを算出する算出部と、前記追加商品スコアに基づく順序で、前記追加商品に関する情報が掲載された追加商品リストを提供する提供部と、前記追加商品リストの提供を受けた前記利用者から前記追加商品の注文を受け付ける受付部と、配送予定日に前記配送物とともに前記追加商品を前記利用者に届けるように手配する配送処理部と、を備えることを特徴とする。
【発明の効果】
【０００７】
実施形態の一態様によれば、配送物の配送通知時に、追加購入可能であり配送予定日に配送物とともに届けられる追加商品に関する情報を適切に提供することができる。
【図面の簡単な説明】
【０００８】
【図１】図１は、実施形態に係る情報処理方法の概要を示す説明図である。
【図２】図２は、配送通知時から追加商品の配送までの流れの概要を示す図である。
【図３】図３は、端末装置を用いた決済の一例を示す図である。
【図４】図４は、実施形態に係る情報処理システムの構成例を示す図である。
【図５】図５は、実施形態に係る端末装置の構成例を示す図である。
【図６】図６は、実施形態に係る情報処理装置の構成例を示す図である。
【図７】図７は、利用者情報データベースの一例を示す図である。
【図８】図８は、履歴情報データベースの一例を示す図である。
【図９】図９は、配送情報データベースの一例を示す図である。
【図１０】図１０は、追加注文情報データベースの一例を示す図である。
【図１１】図１１は、実施形態に係る処理手順を示すフローチャートである。
【図１２】図１２は、ハードウェア構成の一例を示す図である。
【発明を実施するための形態】
【０００９】
以下に、本願に係る情報処理装置、情報処理方法及び情報処理プログラムを実施するための形態（以下、「実施形態」と記載する）について図面を参照しつつ詳細に説明する。なお、この実施形態により本願に係る情報処理装置、情報処理方法及び情報処理プログラムが限定されるものではない。また、以下の実施形態において同一の部位には同一の符号を付し、重複する説明は省略される。
【００１０】
〔１．情報処理方法の概要〕
まず、図１を参照し、実施形態に係る情報処理装置が行う情報処理方法の概要について説明する。図１は、実施形態に係る情報処理方法の概要を示す説明図である。なお、図１では、配送物の配送通知時に、追加購入可能であり配送予定日（到着予定日）に配送物とともに届けられる追加商品に関する情報を適切に提供する場合を例に挙げて説明する。
【００１１】
図１に示すように、情報処理システム１は、端末装置１０と情報提供装置１００とを含む。端末装置１０と情報提供装置１００とは、それぞれネットワークＮ（図４参照）を介して有線又は無線で互いに通信可能に接続される。
【００１２】
端末装置１０は、利用者Ｕや配送業者Ｄ等により使用されるスマートフォンやタブレット等のスマートデバイスであり、４Ｇ（Generation）やＬＴＥ（Long  Term  Evolution）等の無線通信網を介して任意のサーバ装置と通信を行うことができる携帯端末装置である。また、端末装置１０は、液晶ディスプレイ等の画面であって、タッチパネルの機能を有する画面を有し、利用者から指やスタイラス等によりタップ操作、スライド操作、スクロール操作等、コンテンツ等の表示データに対する各種の操作を受付ける。なお、画面のうち、コンテンツが表示されている領域上で行われた操作を、コンテンツに対する操作としてもよい。また、端末装置１０は、スマートデバイスのみならず、デスクトップＰＣ（Personal  Computer）やノートＰＣ等の情報処理装置であってもよい。
【００１３】
情報提供装置１００は、配送物Ｇの配送通知時に追加注文を受け付け、配送予定日（到着予定日）に配送物Ｇとともに（一緒に）追加商品Ａを届けるように手配する情報処理装置であり、サーバ装置やクラウドシステム等により実現される。本実施形態では、情報提供装置１００は、利用者Ｕ宛の配送物Ｇの配送通知時（すなわち発送完了後）に、利用者Ｕからの要求に応じて、利用者Ｕに対して追加商品Ａに関する情報を提示し、利用者Ｕから追加商品Ａの指定（追加注文）を受け付けて、利用者Ｕにより指定された追加商品Ａを配送業者Ｄに通知する。例えば、利用者Ｕ宛の配送物Ｇは、利用者Ｕ自身又は他人が電子商取引（ＥＣ：Electronic  Commerce）又は実店舗にて購入して利用者Ｕの自宅宛に配送を依頼した購入済み商品等である。なお、実際には、利用者Ｕ宛の配送物Ｇは、商取引における商品に限らず、配送業者Ｄにより利用者Ｕの自宅宛に届けられる何らかの物品であってもよい。また、実際には、利用者Ｕ宛の配送物Ｇが届けられる場所は、利用者Ｕの自宅に限らず、利用者Ｕが配送業者Ｄから配送物Ｇを直接受け取り可能な別の場所であってもよい。
【００１４】
このとき、情報提供装置１００は、利用者Ｕ宛の配送物Ｇの配送通知時に、利用者Ｕに対して追加商品Ａの購入を打診し、利用者Ｕが追加商品Ａの購入に興味を示した場合に、利用者Ｕに対して追加商品Ａをリスト形式（一覧）で提示してもよい。例えば、情報提供装置１００は、利用者Ｕに対して追加商品Ａの購入を提案し、応答により利用者Ｕが追加商品Ａに関する情報を求めた場合に、利用者Ｕに対して追加商品Ａが掲載された追加商品リストを提示する。この場合、情報提供装置１００は、利用者Ｕが追加商品Ａを選択可能な表示態様で、利用者Ｕの端末装置１０に追加商品Ａが掲載された追加商品リストを表示する。あるいは、情報提供装置１００は、日時・曜日、ユーザ属性、購入製品（配送物）、履歴等に応じて、利用者Ｕが買いそうな追加商品Ａを優先的に表示する。
【００１５】
追加商品Ａは、日用品（洗剤／ティッシュ・トイレットペーパー／ハンドソープ／歯ブラシ等）や雑貨（電池／テープ・接着剤／封筒／筆記用具等）、調味料（醤油／ソース／ケチャップ／マヨネーズ等）、菓子（スナック菓子／チョコレート／ガム／キャンディ／ビスケット等）、飲料（水／茶／コーヒー／清涼飲料水／牛乳・乳飲料等）、インスタント食品（カップ麺／袋麺／スープ等）・レトルト食品、パン・ドーナツ等、少なくとも配送業者Ｄが配送物Ｇとともに運搬可能な物品である。なお、追加商品Ａは、販売可能であれば、冷蔵食品・冷凍食品、モバイルバッテリー、アルコール飲料（ビール／チューハイ（酎ハイ）／酒類等）、たばこ、医薬品（頭痛薬／胃腸薬／風邪薬等）・医薬部外品等であってもよい。また、追加商品Ａは、配送業者Ｄが配送物Ｇとともに持ち運び可能な物品であって、配送物Ｇと関連する物品（関連商品）や、配送物Ｇに起因して欲しくなる物品（ゲーム＋菓子・飲料、電池式電化製品＋電池等）等であってもよい。すなわち、追加商品Ａは、「ついで買い」や「欠品の補充」の対象となる物品等であると好ましい。また、追加商品Ａは、配送物の到着を待っている間（受け取りのために自宅待機している間）に外出できない利用者Ｕが自分の代わりに買ってきてほしいものであってもよい。また、追加商品Ａは、試供品・無料サンプルでもよい。例えば、情報提供装置１００は、試供品・無料サンプル提供者（メーカー、販売店等）が登録した試供品・無料サンプルを、対象となる利用者Ｕに提示される追加商品リストに追加商品Ａとして掲載し、利用者Ｕに提示する。
【００１６】
なお、追加商品Ａは、事前に用意されていてもよい。例えば、追加商品Ａの一式は、利用者Ｕに対して実際に商品の配送を行う最終的な物流拠点Ｂ（いわゆるラストワンマイルの物流拠点Ｂ）に予め配置されていてもよいし、配送業者Ｄの配送車両Ｃ（貨物自動車）等に常備されていてもよい。また、追加商品Ａは、置き菓子のように商品ボックスＸ（又は商品トレー）に詰め込まれていてもよい。この商品ボックスＸは、物流拠点Ｂに設置されていてもよいし、配送業者Ｄの配送車両Ｃに常備されていてもよい。配送業者Ｄは、配送物Ｇを利用者Ｕに届ける際、商品ボックスＸの中から利用者Ｕが指定した追加商品Ａを取って、配送物Ｇとともに当該追加商品Ａを利用者Ｕに届ける。あるいは、商品ボックスＸごと利用者Ｕに届けてもよい。
【００１７】
また、事前に用意される追加商品Ａは、利用者Ｕの需要が高い商品であると好ましい。例えば、情報提供装置１００は、利用者Ｕの購買履歴やアンケート結果等を分析して、需要予測等により事前に用意される追加商品Ａの候補を決定してもよい。利用者Ｕの需要は、利用者Ｕの年齢、性別、居住地域、職業、ライフステージ（就学／就職／結婚／出産／子育て／リタイア）等の属性によっても異なると予想される。
【００１８】
〔１−１．基本動作〕
例えば、図１に示すように、利用者Ｕは、自身の端末装置１０を操作して、情報提供装置１００に対して、利用者Ｕ宛の配送物Ｇを、利用者Ｕの指定した場所（自宅等）に配送するように依頼する（ステップＳ１）。利用者Ｕの指定した場所は、利用者Ｕが配送業者Ｄから配送物Ｇを直接受け取り可能な場所であればよい。例えば、利用者Ｕは、自身の端末装置１０を操作して、オンラインマーケットプレイスを提供する情報提供装置１００に対して、利用者Ｕが電子商取引にて購入した商品（購入済み商品）を、利用者Ｕの指定した場所に配送するように依頼する。なお、オンラインマーケットプレイスは、例えばＥＣサイト（Electronic  Commerce  site）やオンラインモール（電子商店街）、フリマアプリ（flea  market  application）・フリマサイト、オークションアプリ・オークションサイト、その他のオンライン上での商品売買が可能なサイトやアプリケーション（アプリ）等であってもよい。実際には、利用者Ｕが商品を購入した実店舗の店員が、店舗の端末装置１０を操作して、情報提供装置１００に対して、利用者Ｕ宛の配送物Ｇを、利用者Ｕの指定した場所に配送するように依頼してもよい。
【００１９】
情報提供装置１００は、利用者Ｕ（又は店員）からの配送依頼に応じて、配送業者Ｄに利用者Ｕ宛の配送物Ｇの配送を指示した後、利用者Ｕに対して、配送通知を行うとともに、追加商品Ａに関する情報を提示して追加注文の要否を確認する（ステップＳ２）。このとき、情報提供装置１００は、配送業者Ｄに対して、利用者Ｕの購入済み商品を利用者Ｕの指定した場所に配送する依頼があった旨を通知する。また、情報提供装置１００は、利用者Ｕに対して、発送手配が完了した旨及び配送予定日（到着予定日）を通知するとともに、追加商品Ａの購入を提案する。そして、情報提供装置１００は、追加商品Ａの購入の提案に応じた利用者Ｕに対して、追加商品Ａが掲載された追加商品リストを提示する。
【００２０】
利用者Ｕは、配送通知時に、自身の端末装置１０を操作して、提示された追加商品Ａに関する情報の中から、任意の追加商品Ａを指定する（ステップＳ３）。例えば、利用者Ｕは、配送通知時に、自身の端末装置１０を操作して、追加商品Ａが掲載された追加商品リストの中から、自身が所望する追加商品Ａとその数量（購入数）を指定する。なお、利用者Ｕは、追加商品Ａを一点につき複数購入してもよいし、追加商品Ａを何点購入してもよい。このとき、利用者Ｕは、自身の端末装置１０を操作して、オンライン決済により追加商品Ａの代金を支払ってもよい。
【００２１】
情報提供装置１００は、利用者Ｕから追加商品Ａの指定（購入指示）を受け付けて、指定された追加商品Ａとその数量を配送業者Ｄに通知する（ステップＳ４）。ここで、追加商品Ａは、配送業者Ｄの物流拠点Ｂ又は配送車両Ｃに予め配置されているものとする。配送業者Ｄ（配送車両Ｃのドライバー等）は、利用者Ｕの指定した場所に、情報提供装置１００からの通知に応じて、配送物Ｇとともに、指定された追加商品Ａを届ける。このとき、配送業者Ｄは、配送予定日に配送物Ｇとともに追加商品Ａを届ける。
【００２２】
ここで、図２を参照して、配送通知時から追加商品の配送までの流れの概要について説明する。図２は、配送通知時から追加商品の配送までの流れの概要を示す図である。本実施形態では、図２に示すように、情報提供装置１００は、利用者Ｕの端末装置１０に対して、通知画面Ｐ１を表示して配送通知を行った際、追加商品画面Ｐ２を表示して、利用者Ｕに追加商品Ａの購入（指定）を促す。そして、情報提供装置１００は、利用者Ｕから追加商品Ａの指定を受け付けた場合、配送業者Ｄの端末装置１０に対して、利用者Ｕから指定された追加商品Ａに関する情報を通知する。配送業者Ｄは、利用者Ｕから指定された追加商品Ａに関する情報に基づき、配送車両Ｃに積載された追加商品Ａの一群の中から、利用者Ｕから指定された追加商品Ａを取得する。そして、配送業者Ｄ（配送車両Ｃのドライバー等）は、利用者Ｕ宛の配送物Ｇとともに、利用者Ｕから指定された追加商品Ａを利用者Ｕに届ける。
【００２３】
利用者Ｕは、配送業者Ｄから配送物Ｇ及び追加商品Ａを受け取るとともに、追加商品Ａの代金について端末装置１０を用いた決済を行う（ステップＳ５）。なお、利用者Ｕは、上記のステップＳ３において、追加商品Ａを指定した際にオンライン決済により既に追加商品Ａの代金の支払いを済ませている場合には、当該決済処理は不要である。また、配送物Ｇが着払いの場合には、着払いの代金とともに追加商品Ａの代金の決済を行ってもよい。端末装置１０を用いた決済の詳細については後述する。
【００２４】
情報提供装置１００は、追加商品Ａの代金の決済に関する情報を取得し、配送業者Ｄに対して、追加商品Ａの減少分を補充するように手配する（ステップＳ６）。例えば、配送処理部１３３は、減少した追加商品Ａの製造元／販売元／在庫がある近隣の物流拠点Ｂから、追加商品Ａが減少した配送業者Ｄの物流拠点Ｂ又は配送車両Ｃに対して、減少分に相当する当該商品を配送するように発注又は手配する。
【００２５】
情報提供装置１００は、追加商品Ａに付与される追加商品スコアを算出し、算出された追加商品スコアに応じた追加商品リストを生成する（ステップＳ７）。追加商品スコアは、利用者Ｕに対して追加商品Ａを提供する優先度を示す。すなわち、追加商品Ａは、追加商品スコアが高いほど、追加商品リストの上位に掲載される。なお、追加商品リストの生成は、追加商品リストの新規作成であってもよいし、既存の追加商品リストの更新であってもよい。また、情報提供装置１００は、上記のステップＳ２の時点で、追加商品Ａに付与される追加商品スコアを算出し、算出された追加商品スコアに応じた追加商品リストを生成してもよい。追加商品スコアの算出及び追加商品リストの生成の詳細については後述する。
【００２６】
〔１−２．端末装置１０を用いた決済について〕
ここで、図３を参照して、情報提供装置１００が実行する認証処理により決済用のアプリケーション（以下、単に「決済アプリ」と記載する場合がある）が利用可能となった端末装置１０を用いた決済（電子決済）の一例について説明する。図３は、端末装置１０を用いた決済の一例を示す図である。なお、以下の説明では、追加商品Ａを収容した商品ボックスＸに配置された２次元コードＲ（ＱＲコード（登録商標））であって、商品ボックスＸを識別する箱識別情報（又は配送業者Ｄを識別する配送業者識別情報）を示す２次元コードを用いて、利用者Ｕが端末装置１０を用いた決済を行う例について説明するが、実施形態は、これに限定されるものではない。以下に説明する決済の一例は、任意の利用者が任意の端末装置１０を用いて、任意の商品ボックスＸについて決済を行う場合においても適用可能である。また、箱識別情報は、ＱＲコード（登録商標）のみならず、バーコードや所定のマーク、番号等であってもよい。
【００２７】
例えば、図３に示すように、利用者Ｕが商品ボックスＸに収容された追加商品Ａの購入に伴う決済を行う場合、利用者Ｕは、端末装置１０にインストールされた決済用のアプリケーション（決済アプリ）を起動する。そして、利用者Ｕは、決済アプリを介して、商品ボックスＸに配置された箱識別情報を示す２次元コードＲを撮影する。このような場合、端末装置１０は、決済対象の価格を入力するための画面を表示し、利用者Ｕ或いは配送業者Ｄから決済金額の入力を受け付ける。そして、端末装置１０は、利用者Ｕを識別する利用者識別情報と、箱識別情報（若しくは、箱識別情報が示す情報、すなわち、商品ボックスＸを示す情報（例えば、箱ＩＤ））と、決済金額とを示す決済情報を情報提供装置１００へと送信する。
【００２８】
このような場合、情報提供装置１００は、利用者識別情報が示す利用者Ｕの口座から、箱識別情報が示す商品ボックスＸに紐づけられた口座へと、決済金額が示す額の電子マネーを移行させる。そして、情報提供装置１００は、決済が完了した旨の通知を端末装置１０へと送信する。このような場合、端末装置１０は、決済が完了した旨の画面や所定の音声を出力することで、電子マネーによる決済が行われた旨を通知する。
【００２９】
なお、端末装置１０を用いた決済は、上述した処理に限定されるものではない。例えば、端末装置１０を用いた決済は、配送業者Ｄが携帯する配送端末（配送業者Ｄの端末装置１０）を用いたものであってもよい。例えば、利用者Ｕの端末装置１０は、利用者Ｕを識別するための利用者識別情報を画面上に表示させる。このような場合、配送業者Ｄが携帯する配送端末は、利用者Ｕの端末装置１０に表示された利用者識別情報を読み取り、利用者識別情報（若しくは、利用者識別情報が示す情報、すなわち、利用者Ｕを示す情報（例えば、ユーザＩＤ））と、決済金額と、商品ボックスＸを識別する情報とを示す決済情報を情報提供装置１００へと送信する。このような場合、情報提供装置１００は、利用者識別情報が示す利用者Ｕの口座から、商品ボックスＸに紐づけられた口座へと、決済金額が示す額の電子マネーを移行させ、配送業者Ｄが携帯する配送端末或いは利用者Ｕの端末装置１０に対し、決済が完了した旨の画面や所定の音声を出力させることで、決済が行われた旨を通知してもよい。
【００３０】
また、端末装置１０を用いた決済は、利用者Ｕが予め電子マネーをチャージした口座から商品ボックスＸに紐づけられた口座へと電子マネーを移行させる処理のみならず、例えば、利用者Ｕが予め登録したクレジットカードを用いた決済であってもよい。このような場合、例えば、端末装置１０は、商品ボックスＸに紐づけられた口座に対して決済金額の電子マネーを移行させるとともに、利用者Ｕのクレジットカードの運用会社に対し、決済金額を請求してもよい。
【００３１】
〔１−３．追加商品Ａの候補の選出〕
本実施形態では、情報提供装置１００は、追加商品Ａに付与される追加商品スコアを算出し、算出された追加商品スコアに応じた追加商品リストを生成する。例えば、情報提供装置１００は、算出された追加商品スコアの大小の順（昇順／降順）に追加商品Ａを並べ替えた追加商品リストを生成する。そして、情報提供装置１００は、生成された追加商品リストを利用者Ｕに提供し、利用者Ｕから追加商品Ａの指定を受け付ける。あるいは、情報提供装置１００は、当該リストの上位（例えば上位１０位以内）に掲載されている商品を、追加商品Ａの候補として、配送業者Ｄの物流拠点Ｂ宛に配送するように手配してもよいし、商品ボックスＸ（又は商品トレー）内に配置するように指示してもよい。
【００３２】
なお、利用者の属性によって、追加商品Ａとして求める商品の需要や好みが分かれていると予想される。そのため、情報提供装置１００は、利用者Ｕの属性ごとに、商品に付与される追加商品スコアを算出してもよい。例えば、情報提供装置１００は、ある商品が利用者Ｕ本人や、利用者Ｕと同じ属性を持つ他の利用者により指定された回数やその割合に応じて、当該商品の追加商品スコアを算出してもよい。この場合、商品が指定された回数やその割合が高くなるほど、当該商品の追加商品スコアも高くなる。
【００３３】
また、情報提供装置１００は、ネットワークＮ（図４参照）を介して、利用者Ｕの端末装置１０から、あるいは利用者ＩＤ等に基づいて各種サーバ等から、利用者Ｕの行動を示す各種の履歴情報（ログデータ）を取得し、取得された履歴情報（ログデータ）に基づいて、追加商品Ａに付与される追加商品スコアを算出してもよい。情報提供装置１００は、利用者Ｕの位置履歴（行動履歴）に基づいて、追加商品Ａに付与される追加商品スコアを算出してもよい。例えば、情報提供装置１００は、利用者Ｕが自宅にいるか職場にいるかに基づいて、追加商品Ａに付与される追加商品スコアを算出してもよい。また、情報提供装置１００は、利用者Ｕの購買履歴に基づいて、追加商品Ａに付与される追加商品スコアを算出してもよい。例えば、情報提供装置１００は、利用者Ｕが過去に購入した追加商品Ａに基づいて、追加商品Ａに付与される追加商品スコアを算出してもよい。すなわち、過去に購入した追加商品Ａとどの程度類似又は関連するかに基づいて、追加商品Ａに付与される追加商品スコアを算出してもよい。あるいは、過去に同じ追加商品Ａを購入したことがあるかに基づいて、追加商品Ａに付与される追加商品スコアを算出してもよい。また、情報提供装置１００は、履歴情報に商品が登場する回数／頻度／確率等に応じて、当該商品に付与される追加商品スコアを算出してもよい。この場合、履歴情報に商品が登場する回数／頻度／確率等が高くなるほど、当該商品の追加商品スコアも高くなる。
【００３４】
このとき、情報提供装置１００は、利用者Ｕの位置や日時の履歴である位置履歴を端末装置１０から取得する。また、情報提供装置１００は、利用者Ｕが入力した検索クエリの履歴である検索履歴を検索サーバ（検索エンジン）から取得する。また、情報提供装置１００は、利用者Ｕが閲覧したコンテンツの履歴である閲覧履歴をコンテンツサーバから取得する。また、情報提供装置１００は、利用者Ｕの購買の履歴である購買履歴を電子商取引サーバや決済サーバから取得する。また、情報提供装置１００は、利用者Ｕの投稿の履歴である投稿履歴を口コミの投稿サービスを提供する投稿サーバやＳＮＳ（Social  Networking  Service）サーバから取得する。利用者Ｕの投稿には、利用者Ｕの所有物に関する質問を含めてもよい。なお、情報提供装置１００は、上述した情報の他にも各種の情報を取得可能である。例えば、情報提供装置１００は、利用者Ｕの年齢、性別、家族構成、経済状況といった利用者Ｕの属性に関する情報を取得する。そして、情報提供装置１００は、上記の各種情報を、利用者Ｕのコンテキスト（context）として使用してもよい。
【００３５】
また、情報提供装置１００は、配送物Ｇと追加商品Ａとの関係に基づいて、追加商品Ａに付与される追加商品スコアを算出してもよい。例えば、情報提供装置１００は、ある配送物Ｇが配送される際に特定の商品が追加購入される回数／頻度／確率に応じて、当該商品に付与される追加商品スコアを算出してもよい。この場合、ある配送物Ｇが配送される際に特定の商品が追加購入される回数／頻度／確率が高くなるほど、当該商品の追加商品スコアも高くなる。また、利用者Ｕ宛に配送される配送物Ｇに応じて、個々の追加商品Ａの追加商品スコアが変化する（異なる）。
【００３６】
また、情報提供装置１００は、追加商品リスト等における追加商品ＡのＣＴＲ（Click  Through  Rate：クリック率）又はＣＶＲ（Conversion  Rate：コンバージョン率）に基づいて、追加商品Ａに付与される追加商品スコアを算出してもよい。
【００３７】
また、情報提供装置１００は、利用者Ｕに購入された追加商品Ａの数量の統計値（平均値、最大値、最小値）に基づいて、追加商品Ａに付与される追加商品スコアを算出してもよい。また、情報提供装置１００は、利用者Ｕと同じ属性を持つ利用者群に購入された追加商品Ａの数量の統計値に基づいて、追加商品Ａに付与される追加商品スコアを算出してもよい。さらに、情報提供装置１００は、１回あたりの配送で購入された追加商品Ａの数量の統計値に基づいて、追加商品Ａに付与される追加商品スコアを算出してもよい。
【００３８】
〔２．情報処理システムの構成例〕
次に、図４を用いて、実施形態に係る情報提供装置１００が含まれる情報処理システム１の構成について説明する。図４は、実施形態に係る情報処理システム１の構成例を示す図である。図４に示すように、実施形態に係る情報処理システム１は、端末装置１０と情報提供装置１００とを含む。これらの各種装置は、ネットワークＮを介して、有線又は無線により通信可能に接続される。ネットワークＮは、例えば、ＬＡＮ（Local  Area  Network）や、インターネット等のＷＡＮ（Wide  Area  Network）である。
【００３９】
また、図４に示す情報処理システム１に含まれる各装置の数は図示したものに限られない。例えば、図４では、図示の簡略化のため、端末装置１０を１台のみ示したが、これはあくまでも例示であって限定されるものではなく、２台以上であってもよい。
【００４０】
端末装置１０は、利用者Ｕや配送業者Ｄ等によって使用される情報処理装置である。例えば、端末装置１０は、スマートフォンやタブレット端末等のスマートデバイス、フィーチャーフォン、ＰＣ（Personal  Computer）、ＰＤＡ（Personal  Digital  Assistant）、通信機能を備えたゲーム機、ハンディターミナル、カーナビゲーションシステム、スマートウォッチやヘッドマウントディスプレイ等のウェアラブルデバイス（Wearable  Device）、スマートグラス等である。
【００４１】
また、かかる端末装置１０は、ＬＴＥ（Long  Term  Evolution）、４Ｇ（4th  Generation）、５Ｇ（5th  Generation：第５世代移動通信システム）等の無線通信網や、Ｂｌｕｅｔｏｏｔｈ（登録商標）、無線ＬＡＮ（Local  Area  Network）等の近距離無線通信を介してネットワークＮに接続し、情報提供装置１００と通信することができる。
【００４２】
情報提供装置１００は、例えばＰＣやサーバ装置、あるいはメインフレーム又はワークステーション等である。なお、情報提供装置１００は、クラウドコンピューティングにより実現されてもよい。
【００４３】
〔３．端末装置の構成例〕
次に、図５を用いて、端末装置１０の構成について説明する。図５は、端末装置１０の構成例を示す図である。図５に示すように、端末装置１０は、通信部１１と、表示部１２と、入力部１３と、測位部１４と、センサ部２０と、制御部３０（コントローラ）と、記憶部４０とを備える。
【００４４】
（通信部１１）
通信部１１は、ネットワークＮ（図４参照）と有線又は無線で接続され、ネットワークＮを介して、情報提供装置１００との間で情報の送受信を行う。例えば、通信部１１は、ＮＩＣ（Network  Interface  Card）やアンテナ等によって実現される。
【００４５】
（表示部１２）
表示部１２は、位置情報等の各種情報を表示する表示デバイスである。例えば、表示部１２は、液晶ディスプレイ（ＬＣＤ：Liquid  Crystal  Display）や有機ＥＬディスプレイ（Organic  Electro-Luminescent  Display）である。また、表示部１２は、タッチパネル式のディスプレイであるが、これに限定されるものではない。
【００４６】
（入力部１３）
入力部１３は、利用者Ｕから各種操作を受け付ける入力デバイスである。また、入力部１３は、例えば、文字や数字等を入力するためのボタン等を有する。また、表示部１２がタッチパネル式のディスプレイである場合、表示部１２の一部が入力部１３として機能する。なお、入力部１３は、利用者Ｕから音声入力を受け付けるマイク等であってもよい。マイクはワイヤレスであってもよい。
【００４７】
（測位部１４）
測位部１４は、ＧＰＳ（Global  Positioning  System）の衛星から送出される信号（電波）を受信し、受信した信号に基づいて、自装置である端末装置１０の現在位置を示す位置情報（例えば、緯度及び経度）を取得する。すなわち、測位部１４は、端末装置１０の位置を測位する。なお、ＧＰＳは、ＧＮＳＳ（Global  Navigation  Satellite  System）の一例に過ぎない。
【００４８】
また、測位部１４は、ＧＰＳ以外にも、種々の手法により位置を測位することができる。例えば、測位部１４は、位置補正等のための補助的な測位手段として、下記のように、端末装置１０の様々な通信機能を利用して位置を測位してもよい。
【００４９】
（Ｗｉ−Ｆｉ測位）
例えば、測位部１４は、端末装置１０のＷｉ−Ｆｉ（登録商標）通信機能や、各通信会社が備える通信網を利用して、端末装置１０の位置を測位する。具体的には、測位部１４は、Ｗｉ−Ｆｉ通信等を行い、付近の基地局やアクセスポイントとの距離を測位することにより、端末装置１０の位置を測位する。
【００５０】
（ビーコン測位）
また、測位部１４は、端末装置１０のＢｌｕｅｔｏｏｔｈ（登録商標）機能を利用して位置を測位してもよい。例えば、測位部１４は、Ｂｌｕｅｔｏｏｔｈ（登録商標）機能によって接続されるビーコン（beacon）発信機と接続することにより、端末装置１０の位置を測位する。
【００５１】
（地磁気測位）
また、測位部１４は、予め測定された構造物の地磁気のパターンと、端末装置１０が備える地磁気センサとに基づいて、端末装置１０の位置を測位する。
【００５２】
（ＲＦＩＤ測位）
また、例えば、端末装置１０が駅改札や店舗等で使用される非接触型ＩＣカードと同等のＲＦＩＤ（Radio  Frequency  Identification）タグの機能を備えている場合、もしくはＲＦＩＤタグを読み取る機能を備えている場合、端末装置１０によって決済等が行われた情報とともに、使用された位置が記録される。測位部１４は、かかる情報を取得することで、端末装置１０の位置を測位してもよい。また、位置は、端末装置１０が備える光学式センサや、赤外線センサ等によって測位されてもよい。
【００５３】
測位部１４は、必要に応じて、上述した測位手段の一つ又は組合せを用いて、端末装置１０の位置を測位してもよい。
【００５４】
（センサ部２０）
センサ部２０は、端末装置１０に搭載又は接続される各種のセンサを含む。なお、接続は、有線接続、無線接続を問わない。例えば、センサ類は、ウェアラブルデバイスやワイヤレスデバイス等、端末装置１０以外の検知装置であってもよい。図５に示す例では、センサ部２０は、加速度センサ２１と、ジャイロセンサ２２と、気圧センサ２３と、気温センサ２４と、音センサ２５と、光センサ２６と、磁気センサ２７と、画像センサ（カメラ）２８とを備える。
【００５５】
なお、上記した各センサ２１〜２８は、あくまでも例示であって限定されるものではない。すなわち、センサ部２０は、各センサ２１〜２８のうちの一部を備える構成であってもよいし、各センサ２１〜２８に加えてあるいは代えて、湿度センサ等その他のセンサを備えてもよい。
【００５６】
加速度センサ２１は、例えば、３軸加速度センサであり、端末装置１０の移動方向、速度、及び、加速度等の端末装置１０の物理的な動きを検知する。ジャイロセンサ２２は、端末装置１０の角速度等に基づいて３軸方向の傾き等の端末装置１０の物理的な動きを検知する。気圧センサ２３は、例えば端末装置１０の周囲の気圧を検知する。
【００５７】
端末装置１０は、上記した加速度センサ２１やジャイロセンサ２２、気圧センサ２３等を備えることから、これらの各センサ２１〜２３等を利用した歩行者自律航法（ＰＤＲ：Pedestrian  Dead-Reckoning）等の技術を用いて端末装置１０の位置を測位することが可能になる。これにより、ＧＰＳ等の測位システムでは取得することが困難な屋内での位置情報を取得することが可能になる。
【００５８】
例えば、加速度センサ２１を利用した歩数計により、歩数や歩くスピード、歩いた距離を算出することができる。また、ジャイロセンサ２２を利用して、利用者Ｕの進行方向や視線の方向、体の傾きを知ることができる。また、気圧センサ２３で検知した気圧から、利用者Ｕの端末装置１０が存在する高度やフロアの階数を知ることもできる。
【００５９】
気温センサ２４は、例えば端末装置１０の周囲の気温を検知する。音センサ２５は、例えば端末装置１０の周囲の音を検知する。光センサ２６は、端末装置１０の周囲の照度を検知する。磁気センサ２７は、例えば端末装置１０の周囲の地磁気を検知する。画像センサ２８は、端末装置１０の周囲の画像を撮像する。
【００６０】
上記した気圧センサ２３、気温センサ２４、音センサ２５、光センサ２６及び画像センサ２８は、それぞれ気圧、気温、音、照度を検知したり、周囲の画像を撮像したりすることで、端末装置１０の周囲の環境や状況等を検知することができる。また、端末装置１０の周囲の環境や状況等から、端末装置１０の位置情報の精度を向上させることが可能になる。
【００６１】
（制御部３０）
制御部３０は、例えば、ＣＰＵ（Central  Processing  Unit）、ＲＯＭ（Read  Only  Memory）、ＲＡＭ、入出力ポート等を有するマイクロコンピュータや各種の回路を含む。また、制御部３０は、例えば、ＡＳＩＣ（Application  Specific  Integrated  Circuit）やＦＰＧＡ（Field  Programmable  Gate  Array）等の集積回路等のハードウェアで構成されてもよい。制御部３０は、送信部３１と、受信部３２と、処理部３３とを備える。
【００６２】
（送信部３１）
送信部３１は、例えば入力部１３を用いて利用者Ｕにより入力された各種情報や、端末装置１０に搭載又は接続された各センサ２１〜２８によって検知された各種情報、測位部１４によって測位された端末装置１０の位置情報等を、通信部１１を介して情報提供装置１００へ送信することができる。
【００６３】
（受信部３２）
受信部３２は、通信部１１を介して、情報提供装置１００から提供される各種情報や、情報提供装置１００からの各種情報の要求を受信することができる。
【００６４】
（処理部３３）
処理部３３は、表示部１２等を含め、端末装置１０全体を制御する。例えば、処理部３３は、送信部３１によって送信される各種情報や、受信部３２によって受信された情報提供装置１００からの各種情報を表示部１２へ出力して表示させることができる。
【００６５】
（記憶部４０）
記憶部４０は、例えば、ＲＡＭ（Random  Access  Memory）、フラッシュメモリ（Flash  Memory）等の半導体メモリ素子、又は、ＨＤＤ（Hard  Disk  Drive）、ＳＳＤ（Solid  State  Drive）、光ディスク等の記憶装置によって実現される。かかる記憶部４０には、各種プログラムや各種データ等が記憶される。
【００６６】
〔４．情報処理装置の構成例〕
次に、図６を用いて、実施形態に係る情報提供装置１００の構成について説明する。図６は、実施形態に係る情報提供装置１００の構成例を示す図である。図６に示すように、情報提供装置１００は、通信部１１０と、記憶部１２０と、制御部１３０とを有する。
【００６７】
（通信部１１０）
通信部１１０は、例えば、ＮＩＣ（Network  Interface  Card）等によって実現される。また、通信部１１０は、ネットワークＮ（図４参照）と有線又は無線で接続される。
【００６８】
（記憶部１２０）
記憶部１２０は、例えば、ＲＡＭ（Random  Access  Memory）、フラッシュメモリ（Flash  Memory）等の半導体メモリ素子、又は、ハードディスク、光ディスク等の記憶装置によって実現される。図６に示すように、記憶部１２０は、利用者情報データベース１２１と、履歴情報データベース１２２と、配送情報データベース１２３と、追加注文情報データベース１２４とを有する。
【００６９】
（利用者情報データベース１２１）
利用者情報データベース１２１は、利用者Ｕに関する各種情報を記憶する。例えば、利用者情報データベース１２１は、利用者Ｕの属性等の種々の情報を記憶する。図７は、利用者情報データベース１２１の一例を示す図である。図７に示した例では、利用者情報データベース１２１は、「利用者ＩＤ（Identifier）」、「年齢」、「性別」、「自宅」、「勤務地」、「配送ＩＤ」といった項目を有する。
【００７０】
「利用者ＩＤ」は、利用者Ｕを識別するための識別情報を示す。また、「年齢」は、利用者ＩＤにより識別される利用者Ｕの年齢を示す。なお、「年齢」は、例えば３５歳など、利用者ＩＤにより識別される利用者Ｕの具体的な年齢であってもよい。また、「性別」は、利用者ＩＤにより識別される利用者Ｕの性別を示す。
【００７１】
また、「自宅」は、利用者ＩＤにより識別される利用者Ｕの自宅の位置情報を示す。なお、図７に示す例では、「自宅」は、「ＬＣ１１」といった抽象的な符号を図示するが、緯度経度情報等であってもよい。また、例えば、「自宅」は、地域名や住所であってもよい。
【００７２】
また、「勤務地」は、利用者ＩＤにより識別される利用者Ｕの勤務地（学生の場合は学校）の位置情報を示す。なお、図７に示す例では、「勤務地」は、「ＬＣ１２」といった抽象的な符号を図示するが、緯度経度情報等であってもよい。また、例えば、「勤務地」は、地域名や住所であってもよい。
【００７３】
また、「配送ＩＤ」は、利用者ＩＤにより識別される利用者Ｕが行った商品や荷物等の配送依頼を識別するための識別情報を示す。例えば、「配送ＩＤ」は、商品等の配送業者Ｄや配送状況等を調べるために用いられる。なお、図７に示す例では、「配送ＩＤ」は、各利用者Ｕに１つずつ図示するが、複数であってもよい。すなわち、１人の利用者Ｕが複数の配送依頼を行っていてもよい。また、利用者Ｕが行った配送依頼に限らず、他人が行った利用者Ｕ宛の商品等の配送依頼であってもよい。
【００７４】
例えば、図７に示す例において、利用者ＩＤ「Ｕ１」により識別される利用者Ｕの年齢は、「２０代」であり、性別は、「男性」であることを示す。また、例えば、利用者ＩＤ「Ｕ１」により識別される利用者Ｕは、自宅が「ＬＣ１１」であることを示す。また、例えば、利用者ＩＤ「Ｕ１」により識別される利用者Ｕは、勤務地が「ＬＣ１２」であることを示す。また、例えば、利用者ＩＤ「Ｕ１」により識別される利用者Ｕは、配送ＩＤ「配送＃１」により識別される配送依頼をしていることを示す。
【００７５】
ここで、図７に示す例では、「Ｕ１」、「ＬＣ１１」、「ＬＣ１２」及び「配送＃１」といった抽象的な値を用いて図示するが、「Ｕ１」、「ＬＣ１１」、「ＬＣ１２」及び「配送＃１」には、具体的な文字列や数値等の情報が記憶されるものとする。以下、他の情報に関する図においても、抽象的な値を図示する場合がある。
【００７６】
なお、利用者情報データベース１２１は、上記に限らず、目的に応じて種々の情報を記憶してもよい。例えば、利用者情報データベース１２１は、利用者Ｕの端末装置１０に関する各種情報を記憶してもよい。また、利用者情報データベース１２１は、利用者Ｕのデモグラフィック（人口統計学的属性）、サイコグラフィック（心理学的属性）、ジオグラフィック（地理学的属性）、ベヘイビオラル（行動学的属性）等の属性に関する情報を記憶してもよい。例えば、利用者情報データベース１２１は、氏名、家族構成、出身地（地元）、職業、職位、収入、資格、居住形態（戸建、マンション等）、車の有無、通学・通勤時間、通学・通勤経路、定期券区間（駅、路線等）、利用頻度の高い駅（自宅・勤務地の最寄駅以外）、習い事（場所、時間帯等）、趣味、興味、ライフスタイル等の情報を記憶してもよい。
【００７７】
（履歴情報データベース１２２）
履歴情報データベース１２２は、利用者Ｕの行動を示すログデータに関する各種情報を記憶する。図８は、履歴情報データベース１２２の一例を示す図である。図８に示した例では、履歴情報データベース１２２は、「利用者ＩＤ」、「位置履歴」、「検索履歴」、「閲覧履歴」、「購買履歴」、「投稿履歴」といった項目を有する。
【００７８】
「利用者ＩＤ」は、利用者Ｕを識別するための識別情報を示す。また、「位置履歴」は、利用者Ｕの位置の履歴である位置履歴を示す。また、「検索履歴」は、利用者Ｕが入力した検索クエリの履歴である検索履歴を示す。また、「閲覧履歴」は、利用者Ｕが閲覧したコンテンツの履歴である閲覧履歴を示す。また、「購買履歴」は、利用者Ｕによる購買の履歴である購買履歴を示す。また、「投稿履歴」は、利用者Ｕによる投稿の履歴である投稿履歴を示す。
【００７９】
例えば、図８に示す例において、利用者ＩＤ「Ｕ１」により識別される利用者Ｕは、「位置履歴＃１」の通りに移動し、「検索履歴＃１」の通りに検索し、「閲覧履歴＃１」の通りにコンテンツを閲覧し、「購買履歴＃１」の通りに所定の店舗等で所定の商品等を購入し、「投稿履歴」の通りに投稿したことを示す。
【００８０】
ここで、図８に示す例では、「Ｕ１」、「位置履歴＃１」、「検索履歴＃１」、「閲覧履歴＃１」、「購買履歴＃１」及び「投稿履歴＃１」といった抽象的な値を用いて図示するが、「Ｕ１」、「位置履歴＃１」、「検索履歴＃１」、「閲覧履歴＃１」、「購買履歴＃１」及び「投稿履歴＃１」には、具体的な文字列や数値等の情報が記憶されるものとする。
【００８１】
なお、履歴情報データベース１２２は、上記に限らず、目的に応じて種々の情報を記憶してもよい。例えば、履歴情報データベース１２２は、利用者Ｕが追加商品Ａを購入した履歴である追加注文履歴を示す情報を記憶してもよい。なお、追加注文履歴には、追加商品Ａの名称、カテゴリ、購入数量、購入回数に関する情報が含まれていてもよい。
【００８２】
（配送情報データベース１２３）
配送情報データベース１２３は、利用者Ｕの配送依頼に関する各種情報を記憶する。図９は、配送情報データベース１２３の一例を示す図である。図９に示した例では、配送情報データベース１２３は、「配送ＩＤ」、「配送業者」、「配送日時」、「配送先」、「配送物」、「追加注文要否」、「追加商品」、「数量」といった項目を有する。
【００８３】
「配送ＩＤ」は、利用者Ｕ宛の商品や荷物等の配送依頼を識別するための識別情報を示す。また、「配送業者」は、利用者Ｕ宛の商品や荷物等を配送する事業者を示す。また、「配送日時」は、利用者Ｕ宛の商品や荷物等の配送予定日（到着予定日）を示す。また、「配送先」は、配送先として利用者Ｕの指定した場所（自宅等）を示す。また、「配送物」は、利用者Ｕ宛に配送される商品や荷物等を示す。なお、「配送物」は、配送物Ｇを識別するための識別情報であってもよい。また、「追加注文要否」は、利用者Ｕが追加注文を要求しているか否かを示す。また、「追加商品」は、追加商品Ａ（又はその追加商品リスト）の中から利用者Ｕが指定した追加商品Ａを示す。なお、「追加商品」は、追加商品Ａを識別するための識別情報であってもよい。また、「数量」は、利用者Ｕが指定した追加商品Ａの数量（購入数量）を示す。
【００８４】
例えば、図９に示す例において、配送ＩＤ「配送＃１」により識別される配送依頼では、「配送業者＃１」により「配送日時＃１」に「配送先＃１」宛に「配送物＃１」とともに「追加商品＃１」が「数量＃１」だけ届けられることを示す。
【００８５】
ここで、図９に示す例では、「配送＃１」、「配送日時＃１」、「配送業者＃１」、「配送先＃１」、「配送物＃１」、「追加商品＃１」及び「数量＃１」といった抽象的な値を用いて図示するが、「配送＃１」、「配送日時＃１」、「配送業者＃１」、「配送先＃１」、「配送物＃１」、「追加商品＃１」及び「数量＃１」には、具体的な文字列や数値等の情報が記憶されるものとする。
【００８６】
なお、配送情報データベース１２３は、上記に限らず、目的に応じて種々の情報を記憶してもよい。例えば、配送情報データベース１２３は、配送物Ｇや追加商品Ａのカテゴリや特性に関する情報を記憶してもよい。また、配送情報データベース１２３は、配送の良否に対する利用者Ｕ（受取人）の評価やアンケート結果に関する情報を記憶してもよい。
【００８７】
（追加注文情報データベース１２４）
追加注文情報データベース１２４は、利用者Ｕの追加注文に関する各種情報を記憶する。図１０は、追加注文情報データベース１２４の一例を示す図である。図１０に示した例では、追加注文情報データベース１２４は、「セグメント」、「配送物」、「追加商品」、「追加購入頻度」、「履歴登場頻度」、「スコア」といった項目を有する。
【００８８】
「セグメント」は、利用者Ｕの属性等に基づいて分類したセグメント（区分）を示す。例えば、「セグメント」は、年齢、性別、居住地域、職業、ライフステージ等の属性に基づいてグループ分けされた利用者Ｕの集団を示す。なお、セグメントではなく個々の利用者Ｕごとに追加商品Ａのスコアを求める場合には、「セグメント」は「利用者ＩＤ」であってもよい。また、追加商品Ａのスコアを求める際に利用者Ｕの属性やセグメント等を考慮しない場合には、「セグメント」は無くてもよい。
【００８９】
また、「配送物」は、利用者Ｕ等に配送された商品や荷物等を示す。なお、「配送物」は、配送物Ｇを識別するための識別情報であってもよい。また、「追加商品」は、利用者Ｕが指定した追加商品Ａを示す。なお、「追加商品」は、追加商品Ａを識別するための識別情報であってもよい。
【００９０】
また、「追加購入頻度」は、追加商品Ａが購入される回数／頻度／確率や追加商品ＡのＣＴＲ又はＣＶＲ等を示す。また、「履歴登場頻度」は、追加商品Ａが履歴情報等に登場する回数／頻度／確率等を示す。また、「スコア」は、追加商品Ａに付与される追加商品スコアを示す。追加商品スコアは、追加購入頻度や履歴登場頻度等に基づいて算出される。
【００９１】
例えば、図１０に示す例において、「セグメント＃１」に属する利用者Ｕに対して「配送物＃１」とともに届けられる「追加商品＃１」は、「追加購入頻度＃１」の頻度で購入され、「履歴登場頻度＃１」の頻度で履歴情報に登場し、「スコア＃１」が付与されていることを示す。
【００９２】
ここで、図１０に示す例では、「セグメント＃１」、「配送物＃１」、「追加商品＃１」、「追加購入頻度＃１」、「履歴登場頻度＃１」及び「スコア＃１」といった抽象的な値を用いて図示するが、「セグメント＃１」、「配送物＃１」、「追加商品＃１」、「追加購入頻度＃１」、「履歴登場頻度＃１」及び「スコア＃１」には、具体的な文字列や数値等の情報が記憶されるものとする。
【００９３】
なお、追加注文情報データベース１２４は、上記に限らず、目的に応じて種々の情報を記憶してもよい。例えば、追加注文情報データベース１２４は、利用者Ｕに対して提示される追加商品Ａが掲載された追加商品リストを記憶してもよい。また、追加注文情報データベース１２４は、配送物Ｇや追加商品Ａに関する利用者Ｕの評価やアンケート結果に関する情報を記憶してもよい。
【００９４】
（制御部１３０）
図６に戻り、説明を続ける。制御部１３０は、コントローラ（Controller）であり、例えば、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等によって、情報提供装置１００の内部の記憶装置に記憶されている各種プログラム（情報処理プログラムの一例に相当）がＲＡＭ等の記憶領域を作業領域として実行されることにより実現される。図６に示す例では、制御部１３０は、通知部１３１と、受付部１３２と、配送処理部１３３と、決済処理部１３４と、算出部１３５と、生成部１３６と、学習部１３７とを有する。
【００９５】
（通知部１３１）
通知部１３１は、通信部１１０を介して、利用者Ｕに対して配送物Ｇの配送通知を行う。また、通知部１３１は、配送通知の際に利用者Ｕに対して追加商品Ａに関する情報を通知する。すなわち、通知部１３１は、利用者Ｕに対して追加商品Ａに関する情報を提供する提供部でもある。例えば、通知部１３１は、利用者Ｕに対して、追加商品Ａに関する情報として、追加商品Ａが掲載された追加商品リストを通知する。また、追加商品Ａは、日用品、雑貨、菓子、飲料、食品、調味料のいずれかを含む。また、追加商品Ａは、配送物Ｇに関連する物品であってもよいし、配送物Ｇに起因して欲しくなる物品であってもよい。
【００９６】
本実施形態では、通知部１３１は、通信部１１０を介して、配送業者Ｄに対して、利用者Ｕの購入済み商品を利用者Ｕの指定した場所に配送する依頼があった旨を通知する。また、通知部１３１は、通信部１１０を介して、利用者Ｕに対して、発送手配が完了した旨及び配送予定日（到着予定日）を通知するとともに、追加商品Ａが掲載された追加商品リストを提示する。
【００９７】
（受付部１３２）
受付部１３２は、通信部１１０を介して、配送通知の際に利用者Ｕから追加商品Ａの注文を受け付ける。このとき、受付部１３２は、配送物Ｇの配送通知時から配送物Ｇの到着までの間に、利用者Ｕから追加商品Ａの指定を受け付けるようにしてもよい。例えば、受付部１３２は、追加商品Ａに関する情報の通知に応じた利用者Ｕからの追加商品Ａの指定を受け付ける。また、受付部１３２は、利用者Ｕから追加購入を希望する旨を受け付ける。さらに、受付部１３２は、利用者Ｕが追加商品Ａを受け取った際に利用者Ｕによる端末装置を用いた決済に関する情報を受け付ける。あるいは、受付部１３２は、利用者Ｕから追加商品Ａの注文を受け付けた際に利用者によるオンライン決済に関する情報を受け付ける。
【００９８】
（配送処理部１３３）
配送処理部１３３は、通信部１１０を介して、配送業者Ｄに対して、配送予定日に配送物Ｇとともに追加商品Ａを利用者Ｕに届けるように手配する。ここでは、配送処理部１３３は、配送業者Ｄに対して、配送予定日に配送物Ｇとともに、利用者Ｕから指定された追加商品Ａを利用者Ｕに届けるように手配する。なお、配送処理部１３３は、配送予定日に配送物Ｇとともに利用者Ｕが購入可能な追加商品Ａの一式（追加商品Ａの候補）を利用者Ｕに届けるように手配してもよい。追加商品Ａは、置き菓子のように商品ボックスＸ（又は商品トレー）に収容されていてもよい。この商品ボックスＸは、物流拠点Ｂに設置されていてもよいし、配送業者Ｄの配送車両Ｃに常備されていてもよい。
【００９９】
また、配送処理部１３３は、通信部１１０を介して、配送業者Ｄに対して、追加商品Ａの減少分を補充するように手配する。例えば、配送処理部１３３は、減少した追加商品Ａの製造元／販売元／在庫がある近隣の物流拠点Ｂから、追加商品Ａが減少した配送業者Ｄの物流拠点Ｂ又は配送車両Ｃに対して、減少分に相当する当該商品を配送するように発注又は手配する。
【０１００】
また、配送処理部１３３は、通信部１１０を介して、配送業者Ｄに対して、追加商品リストの上位（例えば上位１０位以内）に掲載されている商品を、購入可能な追加商品Ａの一式（追加商品Ａの候補）として、配送業者Ｄの物流拠点Ｂ宛に配送するように手配してもよいし、商品ボックスＸ（又は商品トレー）内に配置するように指示してもよい。
【０１０１】
（決済処理部１３４）
決済処理部１３４は、利用者Ｕの端末装置１０からの追加商品Ａの代金の決済に関する情報に基づいて、追加商品Ａの代金の決済処理を行う。このとき、利用者Ｕは、配送業者Ｄから配送物Ｇ及び追加商品Ａを受け取るとともに、追加商品Ａの代金について端末装置１０を用いた決済を行う。なお、利用者Ｕは、追加商品Ａの注文の際に、追加商品Ａの代金について端末装置１０を用いたオンライン決済を行ってもよい。
【０１０２】
（算出部１３５）
算出部１３５は、追加商品Ａに付与される追加商品スコアを算出する。例えば、算出部１３５は、配送物Ｇと追加商品Ａとの関係に基づいて、追加商品Ａに付与される追加商品スコアを算出する。
【０１０３】
なお、算出部１３５は、利用者Ｕの属性に基づいて、追加商品スコアを算出してもよい。また、利用者Ｕの履歴情報に基づいて、追加商品スコアを算出してもよい。このとき、算出部１３５は、利用者Ｕの位置履歴に基づいて、追加商品スコアを算出してもよい。また、算出部１３５は、利用者Ｕの購買履歴に基づいて、追加商品スコアを算出してもよい。例えば、算出部１３５は、利用者Ｕが過去に購入した追加商品Ａに基づいて、追加商品スコアを算出してもよい。また、算出部１３５は、配送物Ｇと追加商品Ａとの関係に基づいて、追加商品スコアを算出してもよい。また、算出部１３５は、追加商品ＡのＣＴＲ（クリック率）又はＣＶＲ（コンバージョン率）に基づいて、追加商品スコアを算出してもよい。
【０１０４】
また、算出部１３５は、利用者Ｕに購入された追加商品Ａの数量の統計値（平均値、最大値、最小値）に基づいて、追加商品Ａに付与される追加商品スコアを算出してもよい。また、算出部１３５は、利用者Ｕと同じ属性を持つ利用者群に購入された追加商品Ａの数量の統計値に基づいて、追加商品Ａに付与される追加商品スコアを算出してもよい。さらに、算出部１３５は、１回あたりの配送で購入された追加商品Ａの数量の統計値に基づいて、追加商品Ａに付与される追加商品スコアを算出してもよい。
【０１０５】
（生成部１３６）
生成部１３６は、算出された追加商品スコアに応じた追加商品リストを生成する。例えば、生成部１３６は、算出された追加商品スコアの大小の順（昇順／降順）に追加商品Ａを並べ替えた追加商品リストを生成する。なお、追加商品リストの生成は、追加商品リストの新規作成であってもよいし、既存の追加商品リストの更新であってもよい。すなわち、生成部１３６は、既存の追加商品リストを更新する更新部であってもよい。
【０１０６】
（学習部１３７）
学習部１３７は、配送物Ｇを入力データとし、追加商品Ａを正解データとして学習し、モデルを構築する。そして、学習部１３７は、配送物Ｇをモデルに入力した際に追加商品Ａを出力する。例えば、学習部１３７は、配送物Ｇをモデルに入力した際に追加商品Ａを出力するように学習する。このとき、学習部１３７は、利用者ごと又はそのセグメントごとにモデルを生成する。配送物Ｇと追加商品Ａとの関係は、利用者ごと又はそのセグメントごとに異なると予想される。そこで、利用者又はそのセグメントと配送物Ｇと追加商品Ａとの関係を実績ベースで予測するモデルを生成する。すなわち、学習部１３７は、利用者又はそのセグメントと配送物Ｇとを入力データとし、追加商品Ａを正解データとして学習し、モデルを構築する。そして、学習部１３７は、利用者又はそのセグメントと配送物Ｇとをモデルに入力した際に追加商品Ａを出力する。なお、学習部１３７は、生成部１３６であってもよい。すなわち、学習部１３７は、生成部１３６と一体化していてもよい。
【０１０７】
また、学習部１３７は、追加商品Ａを入力データとし、追加商品スコアを正解データとして学習し、モデルを構築する。そして、学習部１３７は、追加商品Ａをモデルに入力した際に追加商品スコアを出力する。これにより、学習部１３７は、追加商品Ａから追加商品スコアを推定する。なお、学習部１３７は、算出部１３５であってもよい。すなわち、学習部１３７は、算出部１３５と一体化していてもよい。
【０１０８】
なお、モデルは、任意の種別のモデルが採用可能である。例えば、学習部１３７は、ＳＶＭ（Support  Vector  Machine）やＤＮＮ（Deep  Neural  Network）をモデルとして採用してもよい。ここで、ＤＮＮは、ＣＮＮ（Convolutional  Neural  Network）やＲＮＮ（Recurrent  Neural  Network）であってもよい。また、ＲＮＮは、ＬＳＴＭ（Long  short-term  memory）等であってもよい。すなわち、モデルは、任意の形式のモデルが採用可能である。また、モデルは、例えば、ＣＮＮとＲＮＮとを組み合わせたモデル等、複数のモデルを組み合わせることで実現されるモデルであってもよい。また、データマイニングやその他の機械学習アルゴリズムを利用してもよい。学習部１３７は、上述した各種の学習手法により、モデルの学習を行う。
【０１０９】
〔５．処理手順〕
次に、図１１を用いて実施形態に係る情報提供装置１００による処理手順について説明する。図１１は、実施形態に係る処理手順を示すフローチャートである。なお、以下に示す処理手順は、情報提供装置１００の制御部１３０によって繰り返し実行される。
【０１１０】
情報提供装置１００の通知部１３１は、通信部１１０を介して、利用者Ｕに対して配送物Ｇの配送通知を行うとともに、追加注文の要否を確認する（ステップＳ１０１）。このとき、通知部１３１は、利用者Ｕに対して、配送通知の際に追加商品Ａの購入を提案する。そして、通知部１３１は、追加商品Ａの購入の提案に応じた利用者Ｕに対して、追加商品Ａが掲載された追加商品リストを提示する。
【０１１１】
続いて、情報提供装置１００の受付部１３２は、通信部１１０を介して、利用者Ｕから追加商品Ａの指定を受け付ける（ステップＳ１０２）。このとき、受付部１３２は、提示された商品リストを参照した利用者Ｕから追加商品Ａとその数量（購入数）の指定を受け付ける。
【０１１２】
続いて、情報提供装置１００の配送処理部１３３は、通信部１１０を介して、利用者Ｕから追加商品Ａの指定（購入指示）を受け付けて、配送業者Ｄに対して、配送物とともに、指定された追加商品Ａを利用者Ｕの指定した場所に届けるように手配する（ステップＳ１０３）。このとき、配送業者Ｄは、通知を受けて、利用者Ｕの指定した場所に、配送物Ｇとともに、指定された追加商品Ａを届ける。すなわち、配送業者Ｄは、利用者Ｕの指定した場所に、配送予定日に配送物Ｇとともに追加商品Ａを届ける。
【０１１３】
続いて、情報提供装置１００の決済処理部１３４は、利用者Ｕの端末装置１０からの追加商品Ａの代金の決済に関する情報に基づいて、追加商品Ａの代金の決済処理を行う（ステップＳ１０４）。このとき、利用者Ｕは、配送業者Ｄから配送物Ｇ及び追加商品Ａを受け取るとともに、追加商品Ａの代金について端末装置１０を用いた決済を行う。なお、利用者Ｕは、追加商品Ａの注文の際に、追加商品Ａの代金について端末装置１０を用いたオンライン決済を行ってもよい。
【０１１４】
続いて、情報提供装置１００の決済処理部１３４は、通信部１１０を介して、配送業者Ｄに対して、追加商品Ａの減少分を補充するように手配する（ステップＳ１０５）。例えば、配送処理部１３３は、減少した追加商品Ａの製造元／販売元／在庫がある近隣の物流拠点Ｂから、追加商品Ａが減少した配送業者Ｄの物流拠点Ｂ又は配送車両Ｃに対して、減少分に相当する当該商品を配送するように発注又は手配する。
【０１１５】
続いて、情報提供装置１００の算出部１３５は、追加商品Ａに付与される追加商品スコアを算出する（ステップＳ１０６）。例えば、算出部１３５は、利用者Ｕの属性に基づいて、追加商品スコアを算出してもよい。また、利用者Ｕの履歴情報に基づいて、追加商品スコアを算出してもよい。このとき、算出部１３５は、利用者Ｕの位置履歴に基づいて、追加商品スコアを算出してもよい。また、算出部１３５は、利用者Ｕの購買履歴に基づいて、追加商品スコアを算出してもよい。例えば、算出部１３５は、利用者Ｕが過去に購入した追加商品Ａに基づいて、追加商品スコアを算出してもよい。また、算出部１３５は、配送物Ｇと追加商品Ａとの関係に基づいて、追加商品スコアを算出してもよい。また、算出部１３５は、追加商品Ａのクリック率又はコンバージョン率に基づいて、追加商品スコアを算出してもよい。また、算出部１３５は、利用者Ｕにより購入された追加商品Ａの数量の統計値に基づいて、追加商品Ａに付与される追加商品スコアを算出してもよい。なお、実際には、算出部１３５は、上記のステップＳ１０１の時点で、追加商品Ａに付与される追加商品スコアを算出してもよい。
【０１１６】
続いて、情報提供装置１００の生成部１３６は、算出された追加商品スコアに応じた追加商品リストを生成する（ステップＳ１０７）。例えば、生成部１３６は、算出された追加商品スコアの大小の順（昇順／降順）に追加商品Ａを並べ替えた追加商品リストを生成する。なお、追加商品リストの生成は、追加商品リストの新規作成であってもよいし、既存の追加商品リストの更新であってもよい。生成部１３６は、通知部１３１に当該追加商品リストを提供する。そして、通知部１３１は、次回以降、利用者Ｕに対して、当該追加商品リストを提示する。なお、実際には、生成部１３６は、上記のステップＳ１０１の時点で、算出された追加商品スコアに応じた追加商品リストを生成してもよい。
【０１１７】
続いて、情報提供装置１００の学習部１３７は、配送物Ｇを入力データとし、追加商品Ａを正解データとして学習し、モデルを構築する（ステップＳ１０８）。そして、学習部１３７は、配送物Ｇをモデルに入力した際に追加商品Ａを出力する。学習部１３７は、出力された追加商品Ａを通知部１３１又は生成部１３６に通知する。なお、実際には、学習部１３７は通知部１３１又は生成部１３６にこのモデルを提供し、通知部１３１又は生成部１３６が配送物Ｇをモデルに入力した際に追加商品Ａを出力するようにしてもよい。
【０１１８】
続いて、情報提供装置１００の学習部１３７は、追加商品Ａを入力データとし、追加商品スコアを正解データとして学習し、モデルを構築する（ステップＳ１０９）。そして、学習部１３７は、追加商品Ａをモデルに入力した際に追加商品スコアを出力する。学習部１３７は、出力された追加商品スコアを生成部１３６に通知する。なお、実際には、学習部１３７は生成部１３６にこのモデルを提供し、生成部１３６が追加商品Ａをモデルに入力した際に追加商品スコアを出力するようにしてもよい。
【０１１９】
〔６．変形例〕
上述した端末装置１０及び情報提供装置１００は、上記実施形態以外にも種々の異なる形態にて実施されてよい。そこで、以下では、実施形態の変形例について説明する。
【０１２０】
上記の実施形態において、情報提供装置１００は、利用者Ｕ宛の配送物Ｇに限らず、何らかの利用者Ｕ宛のお届け物の配送通知時に、利用者Ｕから追加商品Ａの指定を受け付けてもよい。すなわち、情報提供装置１００は、電子商取引における商品配送時のみならず、通常の宅配便における荷物配送時にも、利用者Ｕから追加商品Ａの指定を受け付けるようにしてもよい。
【０１２１】
また、上記の実施形態において、情報提供装置１００は、利用者Ｕ宛の配送物Ｇの配送通知時に限らず、配送通知時（発送完了後）から配送物Ｇの到着（配送業者Ｄの到着）までの間に、利用者Ｕから追加商品Ａの指定を受け付けるようにしてもよい。例えば、配送業者Ｄの配送車両Ｃに追加商品Ａが常備されている場合、利用者Ｕからの追加商品Ａの指示に対して配送業者Ｄが即時対応して配送物Ｇとともに追加商品Ａを利用者Ｕに届けることができるため、情報提供装置１００は、配送物Ｇの到着の直前（又は到着時）まで利用者Ｕから追加商品Ａの指定を受け付けることが可能になる。なお、情報提供装置１００は、利用者Ｕ宛の配送物Ｇの配送通知時に、利用者Ｕに対して、追加商品Ａの指定の受け付け可能期間を提示してもよい。また、情報提供装置１００は、配送物Ｇが既に利用者Ｕに到着済みで追加商品Ａの指定を受け付けることができない場合には、指定の受け付け期限（締切）を過ぎている旨を通知してもよい。
【０１２２】
また、上記の実施形態において、情報提供装置１００が利用者Ｕから追加商品Ａの指定を受け付ける場合に限らず、配送業者Ｄが追加商品Ａの一式を利用者Ｕに直接提示し、利用者Ｕが所望の追加商品Ａを取ってセルフ決済するようにしてもよい。例えば、情報提供装置１００は、利用者Ｕ宛の配送物Ｇ（又は荷物）の配送通知時に、利用者Ｕが追加商品Ａの購入希望の意思を示した場合、配送業者Ｄにその旨を通知する。その後、配送業者Ｄは、利用者Ｕ宛の配送物Ｇとともに、置き菓子のように追加商品Ａが詰め込まれた商品ボックスＸを利用者Ｕの自宅まで持参する。すなわち、例えば配送業者Ｄが配送物Ｇとともに置き菓子の箱をそのまま利用者Ｕの自宅まで届けて利用者Ｕに提示し、追加購入する商品を利用者Ｕに選ばせるイメージである。利用者Ｕは、商品ボックスＸの中から所望の追加商品Ａを取り、端末装置１０を用いて商品ボックスＸの表面等に掲載された２次元コードＲ（ＱＲコード（登録商標））又は配送業者Ｄが所持する２次元コードＲを読み取り、端末装置１０を用いた決済を行う。これにより、利用者Ｕは、購入済み商品や荷物等の受け取りとともに、その場で日用品や雑貨、菓子、飲料等の買い物ができる。
【０１２３】
また、上記の実施形態において、配送物Ｇの配送を行う配送業者Ｄに限らず、何らかのサービスを提供するために利用者Ｕの自宅（勤務地でも可）を訪問する事業者（来訪者）が、訪問の際に利用者Ｕに追加商品Ａを届けるようにしてもよい。例えば、利用者Ｕは、端末装置１０を用いて、情報提供装置１００を介して事業者にサービスの利用を申し込む（サービスの提供を依頼する）。情報提供装置１００は、利用者Ｕに対して、サービス提供の予定日時の通知を行うとともに、追加商品Ａを提示する。利用者Ｕは、サービス提供の予定日時の通知時に、自身の端末装置１０を操作して、提示された追加商品Ａの中から、自身が所望する追加商品Ａとその数量（購入数）を指定する。情報提供装置１００は、利用者Ｕから指定された追加商品Ａを事業者に通知する。実際に利用者Ｕの自宅を訪問する当該事業者の従業員等は、利用者Ｕの自宅訪問の際に利用者Ｕに追加商品Ａを届ける。例えば、事業者は、出前・宅配・デリバリー・ケータリング等のサービスを提供する飲食事業者（飲食店）やネットスーパー等であってもよいし、配車サービス事業者や引越し業者、自宅派遣型サービス事業者（出張マッサージ／出張レッスン／出張パーソナルトレーニング等）等であってもよい。
【０１２４】
また、上記の実施形態において、配送業者Ｄは、配送車両Ｃに、追加商品Ａの一式を収容した商品ボックスＸを積載した状態で、所定の巡回ルートに沿って配送車両Ｃを走行（移動）させてもよい。すなわち、配送業者Ｄの配送車両Ｃを、移動式スーパーのように使用してもよい。この場合、情報提供装置１００は、配送車両Ｃの位置を追跡し、配送車両Ｃが上記巡回ルートの沿線上の利用者Ｕの自宅に接近したとき、利用者Ｕに対して、配送車両Ｃの接近を通知するとともに追加商品Ａの購入を打診する。あるいは、配送車両Ｃが利用者Ｕの自宅に接近する予定時刻を通知するとともに追加商品Ａの購入を打診する。情報提供装置１００は、利用者Ｕが追加商品Ａの購入に興味を示した場合に、利用者Ｕに対して追加商品Ａが掲載された追加商品リストを提示する。そして、情報提供装置１００は、利用者Ｕから任意の追加商品Ａが指定された場合、配送業者Ｄに対して、利用者Ｕの指定した追加商品Ａに関する情報を通知する。配送業者Ｄは、情報提供装置１００から、利用者Ｕの指定した追加商品Ａに関する情報の通知を受けた場合、利用者Ｕの自宅宛に、利用者Ｕの指定した追加商品Ａを届ける。
【０１２５】
〔７．効果〕
上述してきたように、本願に係る情報提供装置１００は、配送物Ｇの配送通知を受けた利用者Ｕから、追加購入可能な追加商品Ａが掲載された追加商品リストの配信要求を受け付ける受付部と、利用者Ｕの状態に基づいて、追加商品Ａを提供する優先度を示す追加商品スコアを算出する算出部１３５と、追加商品スコアに基づく順序で、追加商品Ａに関する情報が掲載された追加商品リストを提供する提供部（通知部１３１）と、を備える。
【０１２６】
なお、算出部１３５は、利用者Ｕの属性に基づいて、追加商品スコアを算出してもよい。また、利用者Ｕの履歴情報に基づいて、追加商品スコアを算出してもよい。このとき、算出部１３５は、利用者Ｕの位置履歴に基づいて、追加商品スコアを算出してもよい。また、算出部１３５は、利用者Ｕの購買履歴に基づいて、追加商品スコアを算出してもよい。例えば、算出部１３５は、利用者Ｕが過去に購入した追加商品Ａに基づいて、追加商品スコアを算出してもよい。また、算出部１３５は、配送物Ｇと追加商品Ａとの関係に基づいて、追加商品スコアを算出してもよい。また、算出部１３５は、追加商品Ａのクリック率又はコンバージョン率に基づいて、追加商品スコアを算出してもよい。また、算出部１３５は、利用者Ｕにより購入された追加商品Ａの数量の統計値に基づいて、追加商品Ａに付与される追加商品スコアを算出してもよい。
【０１２７】
上述した各処理のいずれかもしくは組合せにより、本願に係る情報提供装置１００は、配送物の配送通知時に、追加購入可能であり配送予定日（到着予定日）に配送物とともに届けられる追加商品に関する情報を適切に提供することができる。また、追加商品は、利用者が配送物となる商品を購入したマーケットプレイス（又は実店舗）や配送業者等とは直接関係がないため、マーケットプレイスや配送業者等の競争に左右されない。その一方で、マーケットプレイスや配送業者等の商品配送の機会の増加に合わせて、追加商品のユーザ接触機会が増加する。すなわち、マーケットプレイスや配送業者等の成長に合わせて、追加注文のサービスや事業も成長する。また、オンライン／オフラインを問わずに対応することができる。
【０１２８】
〔８．ハードウェア構成〕
また、上述した実施形態に係る端末装置１０や情報提供装置１００は、例えば図１２に示すような構成のコンピュータ１０００によって実現される。以下、情報提供装置１００を例に挙げて説明する。図１２は、ハードウェア構成の一例を示す図である。コンピュータ１０００は、出力装置１０１０、入力装置１０２０と接続され、演算装置１０３０、一次記憶装置１０４０、二次記憶装置１０５０、出力Ｉ／Ｆ（Interface）１０６０、入力Ｉ／Ｆ１０７０、ネットワークＩ／Ｆ１０８０がバス１０９０により接続された形態を有する。
【０１２９】
演算装置１０３０は、一次記憶装置１０４０や二次記憶装置１０５０に格納されたプログラムや入力装置１０２０から読み出したプログラム等に基づいて動作し、各種の処理を実行する。演算装置１０３０は、例えばＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等により実現される。
【０１３０】
一次記憶装置１０４０は、ＲＡＭ（Random  Access  Memory）等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ（Read  Only  Memory）、ＨＤＤ（Hard  Disk  Drive）、ＳＳＤ（Solid  State  Drive）、フラッシュメモリ等により実現される。二次記憶装置１０５０は、内蔵ストレージであってもよいし、外付けストレージであってもよい。また、二次記憶装置１０５０は、ＵＳＢメモリやＳＤ（Secure  Digital）メモリカード等の取り外し可能な記憶媒体であってもよい。また、二次記憶装置１０５０は、クラウドストレージ（オンラインストレージ）やＮＡＳ（Network  Attached  Storage）、ファイルサーバ等であってもよい。
【０１３１】
出力Ｉ／Ｆ１０６０は、ディスプレイ、プロジェクタ、及びプリンタ等といった各種の情報を出力する出力装置１０１０に対し、出力対象となる情報を送信するためのインターフェイスであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力Ｉ／Ｆ１０７０は、マウス、キーボード、キーパッド、ボタン、及びスキャナ等といった各種の入力装置１０２０から情報を受信するためのインターフェイスであり、例えば、ＵＳＢ等により実現される。
【０１３２】
また、出力Ｉ／Ｆ１０６０及び入力Ｉ／Ｆ１０７０はそれぞれ出力装置１０１０及び入力装置１０２０と無線で接続してもよい。すなわち、出力装置１０１０及び入力装置１０２０は、ワイヤレス機器であってもよい。
【０１３３】
また、出力装置１０１０及び入力装置１０２０は、タッチパネルのように一体化していてもよい。この場合、出力Ｉ／Ｆ１０６０及び入力Ｉ／Ｆ１０７０も、入出力Ｉ／Ｆとして一体化していてもよい。
【０１３４】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、又は半導体メモリ等から情報を読み出す装置であってもよい。
【０１３５】
ネットワークＩ／Ｆ１０８０は、ネットワークＮを介して他の機器からデータを受信して演算装置１０３０へ送り、また、ネットワークＮを介して演算装置１０３０が生成したデータを他の機器へ送信する。
【０１３６】
演算装置１０３０は、出力Ｉ／Ｆ１０６０や入力Ｉ／Ｆ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１３７】
例えば、コンピュータ１０００が情報提供装置１００として機能する場合、コンピュータ１０００の演算装置１０３０は、一次記憶装置１０４０上にロードされたプログラムを実行することにより、制御部１３０の機能を実現する。また、コンピュータ１０００の演算装置１０３０は、ネットワークＩ／Ｆ１０８０を介して他の機器から取得したプログラムを一次記憶装置１０４０上にロードし、ロードしたプログラムを実行してもよい。また、コンピュータ１０００の演算装置１０３０は、ネットワークＩ／Ｆ１０８０を介して他の機器と連携し、プログラムの機能やデータ等を他の機器の他のプログラムから呼び出して利用してもよい。
【０１３８】
〔９．その他〕
以上、本願の実施形態を説明したが、これら実施形態の内容により本発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【０１３９】
また、上記実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４０】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【０１４１】
例えば、上述した情報提供装置１００は、複数のサーバコンピュータで実現してもよく、また、機能によっては外部のプラットホーム等をＡＰＩ（Application  Programming  Interface）やネットワークコンピューティング等で呼び出して実現するなど、構成は柔軟に変更できる。
【０１４２】
また、上述してきた実施形態及び変形例は、処理内容を矛盾させない範囲で適宜組み合わせることが可能である。
【０１４３】
また、上述してきた「部（section、module、unit）」は、「手段」や「回路」などに読み替えることができる。例えば、通知部は、通知手段や通知回路に読み替えることができる。
【符号の説明】
【０１４４】
１    情報処理システム
１０  端末装置
１００  情報提供装置
１１０  通信部
１２０  記憶部
１２１  利用者情報データベース
１２２  履歴情報データベース
１２３  配送情報データベース
１２４  追加注文情報データベース
１３０  制御部
１３１  通知部
１３２  受付部
１３３  配送処理部
１３４  決済処理部
１３５  算出部
１３６  生成部
１３７  学習部
【要約】
【課題】配送物の配送通知時に、追加購入可能であり配送予定日に配送物とともに届けられる追加商品に関する情報を適切に提供する。
【解決手段】情報処理装置は、配送物の配送通知を受けた利用者から、追加購入可能な追加商品が掲載された追加商品リストの配信要求を受け付ける受付部と、当該利用者の状態に基づいて、追加商品を提供する優先度を示す追加商品スコアを算出する算出部と、当該追加商品スコアに基づく順序で、当該追加商品に関する情報が掲載された追加商品リストを提供する提供部と、を備える。
【選択図】図１【図１】
0006944037.tif 000002
【図２】
0006944037.tif 000003
【図３】
0006944037.tif 000004
【図４】
0006944037.tif 000005
【図５】
0006944037.tif 000006
【図６】
0006944037.tif 000007
【図７】
0006944037.tif 000008
【図８】
0006944037.tif 000009
【図９】
0006944037.tif 000010
【図１０】
0006944037.tif 000011
【図１１】
0006944037.tif 000012
【図１２】
0006944037.tif 000013